(57)【要約】【課題】他の判定範囲の一部または全部が重なり合うように各判定範囲を規定可能にすると共に複数の判定範囲の各々に計測データが属しているか否かを判定可能な計測装置を提供する。【解決手段】計測データを取得する計測部２と、複数の判定範囲を規定する範囲データを記憶する記憶部３と、計測データと範囲データとを比較して計測データが属する判定範囲を特定する制御部６とを備え、記憶部３は、いずれかの判定範囲に他の判定範囲の一部または全部が重なり合うように規定されたデータを範囲データとして記憶し、制御部６は、複数の判定範囲の各々について計測データが属するか否かを判定する。【選択図】        図１
2005061875.tif 000002
【特許請求の範囲】
【請求項１】
計測データを取得する計測部と、複数の判定範囲を規定する範囲データを記憶する記憶部と、前記計測データと前記範囲データとを比較して当該計測データが属する前記判定範囲を特定する判定部とを備え、
前記記憶部は、いずれかの前記判定範囲に他の前記判定範囲の一部または全部が重なり合うように規定されたデータを前記範囲データとして記憶し、
前記判定部は、前記複数の判定範囲の各々について前記計測データが属するか否かを判定する計測装置。
【請求項２】
前記判定部は、前記特定した前記判定範囲が複数あるときは、当該特定した各判定範囲にそれぞれ対応する信号を生成する請求項１記載の計測装置。
【請求項３】
前記判定部は、前記特定した前記判定範囲をそれぞれ示す前記信号を表示部に出力して、当該特定した判定範囲をそれぞれ示すすべての表示を当該表示部に表示させる請求項２記載の計測装置。
【請求項４】
前記判定部は、前記特定した判定範囲の前記表示を当該各判定範囲に予め対応させて規定されている前記表示部の表示位置に表示させる請求項３記載の計測装置。
【請求項５】
前記判定部は、前記複数の判定範囲を示す識別記号を前記表示として前記表示部に表示させる請求項３または４記載の計測装置。
【請求項６】
前記判定部は、前記特定した判定範囲以外の前記各判定範囲に対して前記計測データを下回るかまたは上回るかを判別すると共に、当該判別の結果に対応する信号を生成する請求項１から５のいずれかに記載の計測装置。
【請求項７】
前記判定部は、前記特定した判定範囲以外の前記各判定範囲に対して前記計測データを下回るかまたは上回るかを判別すると共に、当該判別の結果に対応する信号を前記表示部に出力することにより、前記計測データを下回る前記判定範囲についての当該計測データを下回ることを示す表示、および前記計測データを上回る前記判定範囲についての当該計測データを上回ることを示す表示を前記表示部に表示させる請求項３から５のいずれかに記載の計測装置。
【発明の詳細な説明】
【０００１】
【発明の属する技術分野】
本発明は、計測対象を計測して計測データを取得すると共に、予め規定された複数の判定範囲のいずれにこの計測データが属するかを特定する計測装置に関するものである。
【０００２】
【従来の技術】
この種の機能を備えた計測装置として、例えば、特開２００１−１６１００１号公報および特開２００２−３０６４４０号公報に開示された計測装置が知られている。これらの計測装置は、いずれも、計測対象（前者ではバッテリ、後者では被検者）を計測して取得した計測データ（前者ではバッテリの電力値、後者では被検者のＢＭＩ（体格指数）や内蔵脂肪量等）と、予め設定した判定範囲を規定する範囲データ（前者では電力範囲を示すデータ、後者ではランクデータ）とを比較することにより、計測データが属する判定範囲を特定して表示する機能を備えて、計測対象の状態（前者ではバッテリ性能の良否、後者では被検者のＢＭＩや内蔵脂肪量等のランク）を判定可能に構成されている。
【０００３】
具体的には、特開２００１−１６１００１号公報に開示された計測装置（前者）では、良品のバッテリの電力値が分布する全電力範囲を例えば３つの電力範囲（２００Ｗ以上２２０Ｗ未満、２２０Ｗ以上２３０Ｗ未満、２３０Ｗ以上）に分割して、これらの３つの電力範囲を規定する境目の電力値が範囲データとして規定されると共に、各電力範囲に対応させた３つの発光ダイオードＤ３（赤），Ｄ２（黄），Ｄ１（緑）を表示手段として備え、計測したバッテリの電力値（計測データ）が属する電力範囲に対応する発光ダイオードを発光させてバッテリ性能の良否を表示させている。また、特開２００１−１６１００１号公報には、他の表示手段による表示方法として、同一色の発光体が発光する数の違いで良否判定を表示させたり、「正常」、「不良」若しくは数字等の文字列を具体的に液晶パネル等で構成された表示器に出力させたりすることにより、良否判定を示すことが開示されている。
【０００４】
一方、特開２００２−３０６４４０号公報に開示された計測装置（後者）では、例えば肥満度を示す一つの指標としてのＢＭＩに関して、ランク１（１９．７以下）、ランク２（１９．８〜２４．１）、ランク３（２４．２〜２６．３）およびランク４（２６．４以上）の４つのランク（判定範囲）がランクデータ（範囲データ）として規定されると共に、同公報中の図６に示すように、肥満度ランクを表示するための４段階表示可能なレベルメータを表示部（８）に備え、計測したＢＭＩの値（計測データ）がいずれのランクに属するかをレベルメータに表示させている。
【０００５】
【特許文献１】
特開２００１−１６１００１号公報（第３−４頁、第２図）
【特許文献２】
特開２００２−３０６４４０号公報（第６頁、第１図）
【０００６】
【発明が解決しようとする課題】
ところが、従来の各計測装置には、以下のような解決すべき共通の課題がある。すなわち、これらの計測装置では、各判定範囲が互いにオーバーラップしないように設定されている。つまり、従来の各計測装置は、計測対象が属するいずれか一つの判定範囲のみを表示している。したがって、これらの計測装置では、例えば、製造した計測対象（例えば抵抗やヒューズ）を計測して取得した計測データ（例えば抵抗素子であれば抵抗値、ヒューズであれば許容電流値）に基づいてその計測対象を分類（振り分け）する際に、一つの計測対象は常に一つの判定範囲にしか分類できない。
【０００７】
しかしながら、計測対象によっては、例えば、図６に示すように、隣接する各判定範囲Ａ，Ｂ同士および隣接する各判定範囲Ｂ，Ｃ同士を互いに少しずつ重ね合わせて（オーバーラップさせて）おくことにより、計測データが２つの判定範囲のオーバーラップ範囲（同図中では、判定範囲Ａ，Ｂについての範囲Ｄ、判定範囲Ｂ，Ｃについての範囲Ｅ）に属する計測対象をこの２つの判定範囲に適宜振り分けて、各判定範囲Ａ，Ｂ，Ｃに分類される計測対象の数量を調整したいことがある。一方、従来の各計測装置では、一つの判定範囲しか表示できないため、このような分類（振り分け）を行うことができないという解決すべき課題がある。また、計測対象によっては、図７に示すように、一つの判定範囲Ｆに他の判定範囲Ｇの全部が重なり合うように設定することにより、判定範囲Ｇに属する計測対象を判定範囲Ｆに振り分けたいこともある。一例として、抵抗素子では、製造上の種々の要因に起因して、目標とする抵抗値Ｒオームを中心としてある程度の範囲（例えば±１５％の範囲（±０．１５×Ｒの範囲））でその抵抗値がばらつく。このため、一般的には、Ｒオームを中心として例えば±１０％の範囲（判定範囲Ｆ）内に属するものを公差が±１０％の製品として分類すると共にＲオームを中心として±１％の範囲（判定範囲Ｇ）内に属するものを公差が±１％の製品として分類する一方で、Ｒオームを中心として±１０％の範囲を超えるものは不合格品としている。この際にも、公差が±１％の製品の数量が多すぎるときに、公差が±１０％の製品として振り分けたいことがある。しかしながら、従来の各計測装置では、前述したように一つの判定範囲しか表示できないために、このような分類を行うことができないという解決すべき課題がある。したがって、他の判定範囲の一部または全部が重なり合うように各判定範囲を規定可能にして、計測対象が複数の判定範囲に属しているときには、これらの判定範囲を表示部に同時に表示できる計測装置の実現が望まれている。
【０００８】
本発明は、かかる課題を解決すべくなされたものであり、他の判定範囲の一部または全部が重なり合うように各判定範囲を規定可能にすると共に複数の判定範囲の各々に計測データが属しているか否かを判定可能な計測装置を提供することを主目的とする。
【０００９】
【課題を解決するための手段】
上記目的を達成すべく請求項１記載の計測装置は、計測データを取得する計測部と、複数の判定範囲を規定する範囲データを記憶する記憶部と、前記計測データと前記範囲データとを比較して当該計測データが属する前記判定範囲を特定する判定部とを備え、前記記憶部は、いずれかの前記判定範囲に他の前記判定範囲の一部または全部が重なり合うように規定されたデータを前記範囲データとして記憶し、前記判定部は、前記複数の判定範囲の各々について前記計測データが属するか否かを判定する。
【００１０】
また、請求項２記載の計測装置は、請求項１記載の計測装置において、前記判定部は、前記特定した前記判定範囲が複数あるときは、当該特定した各判定範囲にそれぞれ対応する信号を生成する。なお、本発明における「信号」には、アナログ信号とディジタル信号の両者が含まれる。
【００１１】
また、請求項３記載の計測装置は、請求項２記載の計測装置において、前記判定部は、前記特定した前記判定範囲をそれぞれ示す前記信号を表示部に出力して、当該特定した判定範囲をそれぞれ示すすべての表示を当該表示部に表示させる。
【００１２】
さらに、請求項４記載の計測装置は、請求項３記載の計測装置において、前記判定部は、前記特定した判定範囲の前記表示を当該各判定範囲に予め対応させて規定されている前記表示部の表示位置に表示させる。
【００１３】
また、請求項５記載の計測装置は、請求項３または４記載の計測装置において、前記判定部は、前記複数の判定範囲を示す識別記号を前記表示として前記表示部に表示させる。
【００１４】
また、請求項６記載の計測装置は、請求項１から５のいずれかに記載の計測装置において、前記判定部は、前記特定した判定範囲以外の前記各判定範囲に対して前記計測データを下回るかまたは上回るかを判別すると共に、当該判別の結果に対応する信号を生成する。
【００１５】
また、請求項７記載の計測装置は、請求項３から５のいずれかに記載の計測装置において、前記判定部は、前記特定した判定範囲以外の前記各判定範囲に対して前記計測データを下回るかまたは上回るかを判別すると共に、当該判別の結果に対応する信号を前記表示部に出力することにより、前記計測データを下回る前記判定範囲についての当該計測データを下回ることを示す表示、および前記計測データを上回る前記判定範囲についての当該計測データを上回ることを示す表示を前記表示部に表示させる。
【００１６】
【発明の実施の形態】
以下、添付図面を参照して、本発明に係る計測装置の好適な発明の実施の形態について説明する。
【００１７】
最初に、本発明を適用した計測装置としての抵抗計１の構成について、図１を参照して説明する。
【００１８】
同図に示すように、抵抗計１は、計測部２、記憶部３、操作部４、表示部５および制御部６を備えて構成されている。
【００１９】
計測部２は、一例として、図２に示すように、図１に示す四端子リード１１を接続可能なコネクタ部２ａを備えている。また、計測部２は、制御部６の制御に従って、四端子リード１１を介して接続された計測対象７としての抵抗素子（以下、「抵抗素子７」ともいう）に対して計測用電流を供給すると共に抵抗素子７の両端間電圧を計測することにより、四端子法に基づいて計測データとしての抵抗値Ｄａを取得して出力可能に構成されている。記憶部３は、ＲＯＭおよびＲＡＭを含んで構成されている。この場合、ＲＯＭには、制御部６用の動作プログラムが予め記憶されている。また、記憶部３は、分類値記憶部として機能するＲＡＭ内に、図４に示すように、複数の判定範囲（本実施の形態では一例として、判定範囲０〜９の１０個の分類値）を示す識別記号Ｄｂ（一例として、数字の０〜９）を記憶すると共に、各識別記号Ｄｂに対応させて各判定範囲０〜９をそれぞれ規定する複数の範囲データ（上限値Ｄｃおよび下限値Ｄｄ）を記憶可能に構成されている。操作部４は、図２に示すように、複数のスイッチ（例えば、電源スイッチ、設定スイッチ、スタートスイッチおよびアップダウン用スイッチ）を備え、各範囲データ（上限値Ｄｃおよび下限値Ｄｄ）の設定が可能に構成されると共に、設定された各範囲データおよび計測動作開始指示Ｓ１の制御部６への出力が可能に構成されている。
【００２０】
表示部５は、一例として、図２に示すように、抵抗値表示部５ａと判定表示部５ｂとを備えている。この場合、抵抗値表示部５ａは、複数（一例として５個）の表示器（一例として７セグメントＬＥＤ）を備え、計測した抵抗値Ｄａを表示可能に構成されている。一方、判定表示部５ｂは、複数（一例として判定範囲と同数の１０個）の表示器（一例として７セグメントＬＥＤ）を備えて、抵抗素子７についての判定結果を表示可能に構成されている。具体的には、判定表示部５ｂは、各判定範囲０〜９を示す識別記号Ｄｂ（一例として、０〜９の数字）、または各判定範囲０〜９が抵抗値Ｄａを下回ることを示す記号Ｄｅ（一例として、アンダーライン）、または各判定範囲０〜９が抵抗値Ｄａを上回ることを示す記号Ｄｆ（一例として、オーバーライン）を判定結果として表示可能に構成されている。また、判定表示部５ｂは、同図に示すように、７セグメントＬＥＤが５個ずつ上下に２列に配設されて、上列の各７セグメントＬＥＤは、左側から右側に向けて、判定範囲０，１，・・・，４についての判定結果をそれぞれ表示するための専用の表示器に設定され、また下列の各７セグメントＬＥＤは、左側から右側に向けて、判定範囲５，６，・・・，９についての判定結果をそれぞれ表示するための専用の表示器に設定されている。なお、図２および図３の各７セグメントＬＥＤの数値表示は、図面の簡略のために表示形態を簡略化して表記している。
【００２１】
制御部６は、本発明における判定部に相当し、操作部４から出力された各判定範囲０〜９の各範囲データ（上限値Ｄｃおよび下限値Ｄｄ）を入力して記憶部３に記憶する範囲データ記憶処理と、入力した計測動作開始指示Ｓ１に基づいて計測部２の動作を制御すると共に計測部２によって出力された抵抗素子７の抵抗値Ｄａを記憶部３に記憶させる計測処理と、記憶部３に記憶された抵抗値Ｄａと各判定範囲０〜９の範囲データ（上限値Ｄｃおよび下限値Ｄｄ）とを比較することによって抵抗素子７が各判定範囲０〜９のいずれに属するかを判定する判定処理と、判定して特定した各判定範囲にそれぞれ対応する信号を生成して出力して表示部５に表示させる表示処理とを実行する。
【００２２】
次に、抵抗計１による抵抗素子７に対する抵抗値計測処理について、図面を参照して説明する。なお、一例として、抵抗素子７をその抵抗値Ｄａに基づいて、０オームを超え１ｋオーム未満の範囲内において、１０段階に分類する例について説明する。
【００２３】
まず、操作部４を操作することにより、各判定範囲０〜９を設定する処理（範囲データ記憶処理）を実施する。具体的には、操作部４を操作して、図６に示すように、各判定範囲０〜９が他の判定範囲の一部と重なり合うようにして各判定範囲０〜９の範囲データ（上限値Ｄｃおよび下限値Ｄｄ）を設定すると共に、設定した各範囲データを制御部６に順次出力する。具体的には、図４に示すように、各範囲データを設定する。この際に、制御部６は、操作部４から出力された各判定範囲０〜９の範囲データを順次入力すると共に、同図に示すように、入力した各範囲データ（上限値Ｄｃおよび下限値Ｄｄ）を各判定範囲０〜９を示す識別記号Ｄｂ（０〜９）に対応させて記憶部３に記憶させる。この場合、各判定範囲０〜９を示す識別記号Ｄｂ（０〜９）を予め記憶部３に記憶させておく構成を採用することもできるし、各判定範囲０〜９の範囲データ（上限値Ｄｃおよび下限値Ｄｄ）と共に識別記号Ｄｂ（０〜９）を操作部４から入力して記憶部３に記憶させる構成を採用することもできる。
【００２４】
次いで、四端子リード１１を介してコネクタ部２ａに抵抗素子７を接続した後に、操作部４を操作して、計測動作開始指示Ｓ１を制御部６に出力する。制御部６は、計測動作開始指示Ｓ１を入力した際に、計測部２に対して制御信号Ｓ２を出力することによって抵抗値Ｄａの計測を開始させると共に、計測部２によって出力された抵抗値Ｄａを入力して記憶部３に記憶させる（計測処理）。
【００２５】
続いて、制御部６は、記憶部３に記憶させた抵抗値Ｄａと各判定範囲０〜９の範囲データ（上限値Ｄｃおよび下限値Ｄｄ）とを比較して判定することにより、各判定範囲０〜９について、抵抗値Ｄａを下回る判定範囲、抵抗値Ｄａが属する判定範囲、および抵抗値Ｄａを上回る判定範囲のいずれであるかをそれぞれ特定する（判定処理）。例えば、抵抗素子７の抵抗値Ｄａが３９２．５オームのときは、制御部６は、図４に示すように、下限値Ｄｄおよび上限値Ｄｃがそれぞれ１９０．０および２９９．９に設定された範囲データで規定される判定範囲２並びにこの判定範囲２よりも小さい範囲データで規定される各判定範囲０〜１については、抵抗値Ｄａを下回る判定範囲であると特定する。また、下限値Ｄｄおよび上限値Ｄｃがそれぞれ２９０．０および３９９．９に設定された範囲データで規定される判定範囲３、並びに下限値Ｄｄおよび上限値Ｄｃがそれぞれ３９０．０および４９９．９に設定された範囲データで規定される判定範囲４については、抵抗値Ｄａが属する判定範囲であると特定する。さらに、下限値Ｄｄおよび上限値Ｄｃがそれぞれ４９０．０および５９９．９に設定された範囲データで規定される判定範囲５並びにこの判定範囲５よりも大きい範囲データで規定される各判定範囲６〜９については、抵抗値Ｄａを上回る判定範囲であると特定する。
【００２６】
次いで、制御部６は、上記した判定処理の結果に基づいて、表示部５の判定表示部５ｂにおける各７セグメントＬＥＤに判定結果として表示させる記号を決定すると共に、この判定結果としての記号に対応する信号を出力して、これらの記号および抵抗値Ｄａを表示部５の判定表示部５ｂおよび抵抗値表示部５ａにそれぞれ表示させる（表示処理）。この場合、まず、制御部６は、抵抗値Ｄａを下回ると特定した判定範囲０〜２に対しては、７セグメントＬＥＤに表示させる記号として、抵抗値Ｄａを下回ることを示す記号Ｄｅ（一例としてアンダーライン）を使用することを決定する。また、抵抗値Ｄａが属すると特定した判定範囲３，４に対しては、７セグメントＬＥＤに表示させる記号として、各判定判定３，４を示す識別記号Ｄｂ（数字の３と４）をそれぞれ使用することを決定する。さらに、抵抗値Ｄａを上回ると特定した判定範囲５〜９に対しては、７セグメントＬＥＤに表示させる記号として、抵抗値Ｄａを上回ることを示す記号Ｄｆ（一例としてアッパーライン）を使用することを決定する。ここで、上記の決定した識別記号Ｄｂが、本発明における特定した判定範囲を示すデータに相当し、上記の決定した記号Ｄｅが、本発明における計測データとしての抵抗値Ｄａを下回るとの判別の結果を示すデータに相当し、上記の決定した記号Ｄｆが、本発明における計測データとしての抵抗値Ｄａを上回るとの判別の結果に対応する信号（情報）に相当する。
【００２７】
次いで、制御部６は、各判定範囲に対して決定した記号Ｄｂ，Ｄｅ，Ｄｆを抵抗値Ｄａと共に表示部５に出力する。この結果、表示部５は、図３に示すように、抵抗値Ｄａを抵抗値表示部５ａに表示させると共に、記号Ｄｂ，Ｄｅ，Ｄｆを判定表示部５ｂの対応する各７セグメントＬＥＤにそれぞれ表示させる。この結果、判定表示部５ｂにおける各判定範囲０〜９用の各７セグメントＬＥＤには、図３に示すように、上列左側から順次、アンダーライン、アンダーライン、アンダーライン、数字３および数字４が同時に表示され、下列左側から順次、アッパーライン、アッパーライン、アッパーライン、アッパーラインおよびアッパーラインが同時に表示される。これにより、抵抗素子７に対する抵抗値計測処理が完了する。したがって、計測者は、判定表示部５ｂにおける各判定範囲０〜９用の各７セグメントＬＥＤに判定範囲３，４を示す数字の３，４が表示されていることを確認することにより、判定範囲３および判定範囲４の双方に抵抗素子７の抵抗値Ｄａが属することを判別することができる。
【００２８】
このように、この抵抗計１によれば、判定範囲０〜９のいずれかに他の判定範囲の一部が重なり合うように規定された範囲データ（上限値Ｄｃおよび下限値Ｄｄ）を記憶部に記憶させ、特定した判定範囲が複数のときに、その複数の判定範囲をそれぞれ示すすべての識別記号Ｄｂを表示部５に表示させることにより、抵抗素子７の抵抗値Ｄａが属するすべての判定範囲を確実かつ容易に確認することができる。したがって、例えば、この抵抗素子７の抵抗値Ｄａが属する複数の判定範囲のうちの任意の判定範囲に抵抗素子７を分類する（振り分ける）ことができる結果、この２つの判定範囲に属する抵抗素子７の数を任意に調整することができる。このため、例えば、数の少ない判定範囲側に抵抗素子７を分類することにより、２つの判定範囲に属している抵抗値Ｄａを有する抵抗素子７の数を揃えることもできる。
【００２９】
また、この抵抗計１によれば、各判定範囲０〜９に対応させて予め決められた判定表示部５ｂにおける７セグメントＬＥＤ（つまり、判定範囲０〜９毎に予め決められた表示位置）に、抵抗素子７の抵抗値Ｄａが属していると特定した判定範囲の識別記号Ｄｂを制御部６が表示させることにより、表示されている識別記号Ｄｂの表示内容（本実施の形態では、数字の値）のみならず、表示されている位置に基づいて、計測者に対して、特定した判定範囲を直感的に認識させることができる。
【００３０】
また、この抵抗計１によれば、特定した判定範囲以外の各判定範囲に対して抵抗素子７の抵抗値Ｄａを下回るかまたは上回るかを判別して、抵抗値Ｄａを下回る判定範囲については、この判定範囲についての識別記号Ｄｂの７セグメントＬＥＤ（表示位置）にこの判定範囲が抵抗値Ｄａを下回ることを示すアンダーラインを表示させ、一方、抵抗値Ｄａを上回る判定範囲については、この判定範囲についての識別記号Ｄｂの７セグメントＬＥＤ（表示位置）にこの判定範囲が抵抗値Ｄａを上回ることを示すアッパーラインを表示させることにより、特定した判定範囲以外の各判定範囲について識別記号Ｄｂの表示を行わない構成と比較して、抵抗素子７の抵抗値Ｄａが属しないという計測結果のみならず、抵抗素子７の抵抗値Ｄａを下回るか、または上回るかという計測結果をも確認することができる。
【００３１】
なお、本発明は、上記した本発明の実施の形態に示した構成に限定されない。例えば、本発明の実施の形態では、図６を用いて説明した例と同様にして、他の判定範囲の一部が重なり合うように各判定範囲の範囲データ（下限値Ｄｄおよび上限値Ｄｃ）を設定した例について説明したが、図７を用いて説明した例と同様にして、１つの判定範囲に他の判定範囲の全部が重なり合うように各判定範囲についての範囲データを設定することもできる。具体的には、例えば図５に示すように１つの判定範囲（判定範囲３）の範囲データ（下限値Ｄｄおよび上限値Ｄｃ）に他の判定範囲（判定範囲４）の範囲データのすべてが重なり合うように設定する。これにより、１００オームを目標として製造した抵抗素子７を公差が±１０％の製品と公差が±１％の製品とに分類する（振り分ける）場合において、公差が±１％の判定範囲４に抵抗値Ｄａが属する抵抗素子７を公差が±１％の製品および公差が±１０％の製品のいずれにも分類することができる。したがって、公差が±１０％の製品の数量と、公差が±１％の製品の数量とを調整することができる。
【００３２】
また、上記した本発明の実施の形態では、表示部５の抵抗値表示部５ａおよび判定表示部５ｂを７セグメントＬＥＤ（いわゆる数字表示用ＬＥＤ）を用いて構成した例について説明したが、ドットマトリックスＬＥＤを用いて構成することもできるし、また抵抗値表示部５ａ全体、判定表示部５ｂ全体、さらには表示部５全体をＬＣＤで構成することもできる。これらの構成を採用することにより、各判定範囲についての判定結果を、数字、アンダーラインおよびアッパーラインだけでなく、種々の記号（例えば、アンダーラインに代えて↓、アッパーラインに代えて↑）を使用して表示することができるため、より明確に計測結果の内容を表示することができる。
【００３３】
また、上記した発明の実施の形態では、特定した判定範囲を示すデータ（識別記号Ｄｂ）、および計測データ（抵抗値Ｄａ）を下回るかまたは上回るかの判別の結果を示すデータ（記号Ｄｅ，Ｄｆ）を表示部５に出力して、特定した判定範囲を示す識別記号、および下回るかまたは上回るかの判別の結果を示すアッパーラインやアンダーラインを本発明における「表示」として表示部５に表示させる構成を採用した例について説明したが、この構成に限らない。例えば、この構成に代えて、各判定範囲を示す記号等を例えばシルク印刷などで表示部に表示すると共に、この表示に対応させて例えば丸形ＬＥＤ（発光部分が一カ所のＬＥＤ）を配設する構成を採用して、特定した判定範囲に対応する丸形ＬＥＤのみを点灯させる構成を採用することもできる。さらに、各判定範囲を示す上記のシルク印刷に対応させて、丸形ＬＥＤを上下に３つ配置する構成を採用して、特定した判定範囲となったときには、中央の丸形ＬＥＤのみを点灯させ、計測データ（抵抗値Ｄａ）を下回るときには、下側の丸形ＬＥＤのみを点灯させ、逆に上回るときには、上側の丸形ＬＥＤのみを点灯させる構成を採用することもできる。
【００３４】
また、上記した発明の実施の形態では、計測装置としての抵抗計１に表示部５を設けると共に、特定した判定範囲を示すデータ（識別記号Ｄｂ）、および計測データ（抵抗値Ｄａ）を下回るかまたは上回るかの判別の結果を示すデータ（記号Ｄｅ，Ｄｆ）をこの表示部５に出力して、特定した判定範囲や、計測データを下回る判定範囲や、計測データを上回る判定範囲についての表示を表示部５に表示させる構成を採用した例について説明したが、これに限定されない。例えば、表示部５を設けずに、制御部６が、特定した判定範囲や、計測データを下回る判定範囲や、計測データを上回る判定範囲を示すデータを生成して外部装置に出力する構成を採用することもできる。この構成では、抵抗計の外部に設けた表示装置等の外部装置に、特定した判定範囲等を示すデータを出力することにより、この外部装置において、特定した判定範囲、計測データを下回る判定範囲、および計測データを上回る判定範囲を確認することができる。また、上記した発明の実施の形態では、制御部６が、特定した判定範囲、計測データを下回る判定範囲、および計測データを上回る判定範囲を示すデータを出力する構成を採用した例について説明したが、制御部６が、特定した判定範囲等を示す（に対応する）信号を生成し、その信号をシーケンサーなどの外部装置に出力してリレーを切り換え制御する構成を採用することもできる。
【００３５】
また、上記した本発明の実施の形態では、本発明を抵抗計１に適用した例について説明したが、静電容量やインダクタンスを計測するＬＣＲ計などの各種計測装置に適用できるのは勿論である。
【００３６】
【発明の効果】
以上のように、請求項１記載の計測装置によれば、いずれかの判定範囲に他の判定範囲の一部または全部が重なり合うように規定されたデータを範囲データとして記憶部に記憶させ、判定部が記憶部に記憶されている複数の判定範囲の各々について計測データが属するか否かを判定することにより、この判定結果に基づいて、計測対象の計測データが属するすべての判定範囲を確認することができる。したがって、例えば、計測対象の計測データが属する複数の判定範囲のうちの任意の判定範囲に計測対象を分類することができる結果、この複数の判定範囲に属する計測対象の数を任意に調整することができる。このため、例えば、数の少ない判定範囲側に計測対象を分類することにより、複数の判定範囲に属している計測データを有する計測対象の数を揃えることもできる。
【００３７】
また、請求項２記載の計測装置によれば、特定した判定範囲が複数あるときに、判定部が、特定した各判定範囲にそれぞれ対応する信号を生成することにより、この生成された信号に基づいて、計測対象の計測データが属するすべての判定範囲を確実に確認することができる。
【００３８】
また、請求項３記載の計測装置によれば、判定部が、特定した判定範囲をそれぞれ示す信号を表示部に出力して、特定した判定範囲をそれぞれ示すすべての表示を表示部に表示させることにより、計測対象の計測データが属するすべての判定範囲を容易に確認することができる。
【００３９】
また、請求項４記載の計測装置によれば、判定部が、特定した判定範囲の表示を各判定範囲に予め対応させて規定されている表示部の表示位置に表示させることにより、表示されている識別記号の表示内容のみならず、表示されている位置に基づいて、計測者に対して、特定した判定範囲を直感的に認識させることができる。したがって、特定した判定範囲を一層確実に認識させることができる。
【００４０】
また、請求項５記載の計測装置によれば、複数の判定範囲を示す識別記号を表示部に表示させることにより、特定した判定範囲を一層正確に認識させることができる。
【００４１】
また、請求項６記載の計測装置によれば、判定部が、特定した判定範囲以外の各判定範囲に対して計測データを下回るかまたは上回るかを判別すると共に、判別の結果に対応する信号を生成することにより、この生成された信号に基づいて、特定した判定範囲以外の各判定範囲について、その各判定範囲内に計測対象の計測データが属しないという計測結果のみならず、その各判定範囲が計測対象の計測データを下回るか、または上回るかという計測結果をも確認することができる。
【００４２】
また、請求項７記載の計測装置によれば、判定部が、特定した判定範囲以外の各判定範囲に対して計測データを下回るかまたは上回るかを判別すると共に、判別の結果に対応する信号を表示部に出力して、計測データを下回る判定範囲についての計測データを下回ることを示す表示、および計測データを上回る判定範囲についての計測データを上回ることを示す表示を表示部に表示させることにより、特定した判定範囲以外の各判定範囲について、その各判定範囲が計測対象の計測データを下回るか、または上回るかという計測結果を容易に確認することができる。
【図面の簡単な説明】
【図１】本発明の実施の形態に係る抵抗計１の構成を示すブロック図である。
【図２】コネクタ部２ａ、操作部４および表示部５の構成を示す抵抗計１におけるフロントパネルの正面図である。
【図３】表示部５の具体的な表示状態の一例を示す表示画面図である。
【図４】各判定範囲０〜９の識別記号Ｄｂに対応する下限値Ｄｄおよび上限値Ｄｃについての設定内容を示す説明図である。
【図５】各判定範囲０〜９の識別記号Ｄｂに対応する下限値Ｄｄおよび上限値Ｄｃについての他の設定内容を示す説明図である。
【図６】複数の判定範囲の設定例を示す説明図である。
【図７】複数の判定範囲の他の設定例を示す説明図である。
【符号の説明】
１  抵抗計（計測装置）
２  計測部
３  記憶部
４  操作部
５  表示部
６  制御部
７  抵抗素子（計測対象）
Ｄａ  抵抗値（計測データ）
Ｄｂ  識別記号
Ｄｃ  上限値（範囲データ）
Ｄｄ  下限値（範囲データ）
【図１】
2005061875.tif 000003
【図２】
2005061875.tif 000004
【図３】
2005061875.tif 000005
【図４】
2005061875.tif 000006
【図５】
2005061875.tif 000007
【図６】
2005061875.tif 000008
【図７】
2005061875.tif 000009